(57)【要約】【課題】  オゾン発生器において、塵埃吸着による性能低下を根本的に解決する。【解決手段】  オゾン発生器１０の石英ガラス管１２の外周には接地電極１４が、内周には光触媒１６がコーティングされて放電電極１８が挿通されている。オゾン生成のために電極１４、１８の間に高電圧を印加すると放電電極１８と石英ガラス管１２との間に放電が生じ、紫外線が豊富に発生する。紫外線は光触媒１６を励起し、光触媒１６が石英ガラス管１２に静電吸着した塵埃を積極的に分解除去する。これにより、石英ガラス管１２の放電面を常に清浄に保つことができ、生成量の低下や生成停止は確実に防止される。【選択図】  図２
0003105658.tif 000002
【実用新案登録請求の範囲】
【請求項１】
放電エネルギーを利用して酸素からオゾンを生成するためのオゾン発生器において、
該オゾン発生器の帯電部に光触媒を塗布したことを特徴とするオゾン発生器。
【請求項２】
請求項１記載のオゾン発生器において、
該オゾン発生器は、誘電体の管と、該管の外面に配された第１電極と、該管の内側に配置された第２電極とを備える構造であり、
前記管の内面に光触媒を塗布したことを特徴とするオゾン発生器。
【請求項３】
請求項２記載のオゾン発生器において、
前記誘電体の管はガラス管であることを特徴とするオゾン発生器。
【考案の詳細な説明】
【技術分野】
【０００１】
本考案は、オゾン発生装器の技術分野に属する。
【背景技術】
【０００２】
コロナ放電や沿面放電等の放電エネルギーを利用して酸素からオゾンを生成するためのオゾン発生器は公知であり、例えば特開２００３−１４６６２２号公報に開示されている。
【０００３】
そのようなオゾン発生器においては電極間に高電圧が印加されるために、供給される気体（例えば空気或いは酸素）に随伴する塵埃が電極に静電吸着し、これが放電を阻害してオゾンの生成量を低下させ、ときにはオゾンの生成が停止してしまうこともある。
【０００４】
この対策として、供給される気体（例えば空気）をフィルターに通して塵埃を除去したり、予備の電極を配備して生成量が低下した際には予備電極に切り替える等の対策もある。
【特許文献１】特開２００３−１４６６２２号公報
【考案の開示】
【考案が解決しようとする課題】
【０００５】
しかしながら、フィルターを用いる方法は、電極が外気から遮断されている構造で、且つチューブ等を介して電極に気体（空気）が圧送される場合にのみ適用可能で、勿論、フィルターの除去性能を上回る微細な塵埃を除去することはできなかった。またフィルターを用いる場合、フィルターの目詰まりによる副次事故の発生という問題がもある。
【０００６】
また、予備電極に切り替える方式ではコストの大幅な上昇を避けることができない。
すなわち、従来の対策は根本的な対策とは言い難かった。特に、電極が稼働中に積極的に洗浄除去する方法は無かった。
【課題を解決するための手段】
【０００７】
請求項１記載のオゾン発生器は、放電エネルギーを利用して酸素からオゾンを生成するためのオゾン発生器において、該オゾン発生器の帯電部に光触媒を塗布したことを特徴とする。
【０００８】
コロナ放電や沿面放電等の放電エネルギーを利用して酸素からオゾンを生成する方式のオゾン発生器においては、その放電に伴って紫外線が発生する。
光触媒は紫外線を照射されることによって活性化するので、オゾン発生器の帯電部に光触媒を塗布しておけば、紫外線の照射で活性化した光触媒が帯電部に静電吸着した塵埃を積極的に分解除去する。
【０００９】
つまり、電極間に高電圧を印加することで帯電し塵埃を静電吸着しても、放電に伴って活性化した光触媒により分解除去されるから、帯電部すなわち電極等を常に清浄に保つことができる。その結果、塵埃が電極に静電吸着したことに起因するオゾンの生成量の低下や生成停止は確実に防止される。塵埃が蓄積しないからオゾン発生器の寿命を大幅に伸延させることができる。
【００１０】
放電エネルギーを利用してオゾンを発生させる方式のオゾン発生器において従来からの大きな隘路であった塵埃吸着によるオゾン発生器の性能低下を根本的に解決することができる。
【００１１】
請求項２記載のように、請求項１記載のオゾン発生器において、該オゾン発生器は、誘電体の管と、該管の外面に配された第１電極と、該管の内側に配置された第２電極とを備える構造のオゾン発生器の場合は、前記誘電体の管の内面が放電面となるので、ここに光触媒を塗布するとよい。誘電体の管としては、請求項３記載のガラス管（例えば石英ガラス管）が例示される。
【考案を実施するための最良の形態】
【００１２】
次に、本発明の最良の実施形態を説明する。なお、参照する図１、図２は、層構造を明瞭に示すために相対的に薄肉の部分を実際よりも厚肉に表示している等の誇張があり、実際の寸法を反映してはいない。
【００１３】
図１に示すように、オゾン発生器１０は石英ガラス管１２（誘電体に該当）を構造部材とする管状で、その両端を耐オゾン性（例えば塩化ビニル樹脂）のチューブ１１に嵌着されている。チューブ１１内は例えば空気が流され、その空気中の酸素（その一部）をオゾン発生器１０にてオゾンにする。
【００１４】
図１及び図２に示すように、石英ガラス管１２の外周には耐オゾン性の金属（例えばステンレス）の接地電極１４が装着されている。この接地電極１４は配線１５により高圧電源（図示しない）に接続されている。
【００１５】
また、石英ガラス管１２の内周には光触媒１６（本実施例では二酸化チタン）がコーティングされ、放電電極１８が挿通されている。放電電極１８は耐オゾン性の金属（例えばステンレス）のワイヤであり、一方の端部１８ａは石英ガラス管１２の外側に引き出されて、高圧電源に接続されている。このため、高圧電源による高電圧を接地電極１４と放電電極１８との間に印加できる。
【００１６】
接地電極１４と放電電極１８との間に高電圧を印加すると、図２に模式的に示すように放電電極１８と石英ガラス管１２との間に放電が生じる。上記空気中の酸素は、この放電によってオゾンにされる。
【００１７】
また、放電に伴って紫外線が豊富に発生する。この紫外線は石英ガラス管１２の内面の光触媒１６を励起するので、活性化した光触媒１６が石英ガラス管１２に静電吸着した塵埃を積極的に分解除去する。
【００１８】
つまり、電極１４、１８間に高電圧を印加することで石英ガラス管１２が帯電し塵埃を静電吸着しても、放電に伴って活性化した光触媒１６により分解除去されるから、石英ガラス管１２の放電面を常に清浄に保つことができる。その結果、塵埃が電極に静電吸着したことに起因するオゾンの生成量の低下や生成停止は確実に防止される。塵埃が蓄積しないからオゾン発生器１０の寿命を大幅に伸延させることができる。よって、放電エネルギーを利用してオゾンを発生させる方式のオゾン発生器１０において従来からの大きな隘路であった塵埃吸着によるオゾン発生器１０の性能低下を根本的に解決することができる。
【図面の簡単な説明】
【００１９】
【図１】実施例のオゾン発生器の軸方向断面図。
【図２】実施例のオゾン発生器の径方向断面図（放電の説明図を兼ねる。）。
【符号の説明】
【００２０】
１０・・・オゾン発生器、
１２・・・石英ガラス管（誘電体）、
１４・・・接地電極、
１６・・・光触媒、
１８・・・放電電極。
【図１】
0003105658.tif 000003
【図２】
0003105658.tif 000004